(57)【要約】【課題】安価でありかつ見る者に強い印象を与え、かつ使用済み後に台紙をフォトフレームやお面、サンバイザー等に再利用できるダイカット紙バッグを提供することを目的とする。【解決手段】持ち手３１を有する矩形状の紙バッグ３０と、紙バッグ３０に被せる台紙１０とにより構成されるダイカット紙バッグ１であって、台紙１０は、所定の印刷がそれぞれ施され、かつ印刷に沿って型抜きされた表台紙１１及び裏台紙１２と、表台紙１１と裏台紙１２の連結部に形成された折り目１３と紙バッグの持ち手３１が貫通するための隙間と、表台紙１１と裏台紙１２の端部にそれぞれ形成された重ね代１６，１８と、を有することを特徴とするダイカット紙バッグ。【選択図】図１
0003186978.tif 000002
【実用新案登録請求の範囲】
【請求項１】
持ち手を有する矩形状の紙バッグと、前記紙バッグに被せる台紙とにより構成されるダイカット紙バッグであって、
前記台紙は、
所定の印刷がそれぞれ施され、かつ前記印刷に沿って型抜きされた表台紙及び裏台紙と、
前記表台紙と前記裏台紙の連結部に形成された折り目と前記紙バッグの持ち手が貫通するための隙間と、
前記表台紙と前記裏台紙の端部にそれぞれ形成された結合部と、
を有することを特徴とするダイカット紙バッグ。
【請求項２】
持ち手を有する矩形状の紙バッグと、前記紙バッグを包むための台紙とにより構成されるダイカット紙バッグであって、
前記台紙は、
所定の印刷がそれぞれ施され、かつ前記印刷に沿って型抜きされた表台紙及び裏台紙と、
前記表台紙と前記裏台紙を連結する連結部と、
前記連結部と前記表台紙及び前記裏台紙の境界にそれぞれ形成された折り目と、
前記表台紙と前記裏台紙の端部近くにそれぞれ形成された口止めと、
を有することを特徴とするダイカット紙バッグ。
【請求項３】
前記表台紙または前記裏台紙の所定の位置に、写真を挿入するための切り込みが形成されていることを特徴とする請求項１または２に記載のダイカット紙バッグ。
【請求項４】
前記表台紙及び前記裏台紙に施された印刷が、キャラクタの印刷であることを特徴とする請求項１または２に記載のダイカット紙バッグ。
【考案の詳細な説明】
【技術分野】
【０００１】
本考案は、ダイカット紙バッグに関する。
【背景技術】
【０００２】
従来から、手提げ袋は種々の形状のものが使用されている。しかし、その基本的な形態は矩形状であり表面に模様やキャラクタが印刷されることにより、袋の使用者の趣味感に訴えるものがほとんどであった。これでは、個々の手提げ袋を差別化したい場合や袋を見る者にもっと強い印象を与えたい場合には十分であるとは言えなかった。
【０００３】
そこで、例えば図５（ａ）に示すような手提げ袋４０が提案されている。手提げ袋４０では、矩形状の袋の一部が袋の縁をはみ出すような形状にし、そのはみ出した部分がキャラクタであるウサギの耳の一部となっている。このようにすることで、手提げ袋を見る者に通常の手提げ袋と異なる印象を与え、差別化を図ることができる。
【０００４】
また、例えば特許文献１には、正面形状と後面形状が種々の形状を有することで付加価値が向上した手提げ袋が開示されている。図５（ｂ）を参照しつつ、特許文献１の手提げ袋について説明する。
【０００５】
図５（ｂ）において５１は袋本体で、紙製の角底を有している。この袋本体５１の前胴部及び後胴部に比較的厚手の板紙よりなるイラストボード板５２ａ，５２ｂが糊付けにより貼り付けられている。また、イラストボード板５２ａ，５２ｂの上部に孔５３ａ，５３ｂをあけて手掛け部５４ａ，５４ｂが形成されており、また、イラストボード板には動物等の絵や写真、あるいは漫画のキャラクタ等を印刷されており、イラストボード板はこれらの絵等の輪郭に合わせた形状を有している。特許文献１の手提げ袋は、袋本体は角底袋であるが、袋本体の前後胴部にイラストボード板を貼り付けられているので、正面および後面形状はユニークな形状を呈しており、付加価値の高い手提げ袋として使用できる。なお、以下では袋と型抜きされたイラストボードより構成される手提げ袋を「ダイカット紙バッグ」という。
【先行技術文献】
【特許文献】
【０００６】
【特許文献１】特開平１１−１７１２０８号公報
【考案の概要】
【考案が解決しようとする課題】
【０００７】
しかし、特許文献１の手提げ袋であるダイカット紙バッグは、袋本体の角底袋と前後のイラストボードを位置決めして貼り付ける工程が必要であり、コストアップとなっていた。さらに、特許文献１の手提げ袋は使用済みの場合には、角底袋に貼り付けられているイラストボードを他の用途に使用することができなかった。
【０００８】
本考案は、上記課題を解決するためになされたものであり、安価でありかつ見る者に強い印象を与え、かつ使用済み後に台紙をフォトフレームやお面、サンバイザー等に再利用できるダイカット紙バッグを提供することを目的とする。
【課題を解決するための手段】
【０００９】
本考案は上記目的を達成するため、以下の構成を備えるものである。
【００１０】
（１）持ち手を有する矩形状の紙バッグと、前記紙バッグに被せる台紙とにより構成されるダイカット紙バッグであって、
前記台紙は、
所定の印刷がそれぞれ施され、かつ前記印刷に沿って型抜きされた表台紙及び裏台紙と、
前記表台紙と前記裏台紙の連結部に形成された折り目と前記紙バッグの持ち手が貫通するための隙間と、
前記表台紙と前記裏台紙の端部にそれぞれ形成された結合部と、
を有することを特徴とするダイカット紙バッグ。
【００１１】
（２）持ち手を有する矩形状の紙バッグと、前記紙バッグを包むための台紙とにより構成されるダイカット紙バッグであって、
前記台紙は、
所定の印刷がそれぞれ施され、かつ前記印刷に沿って型抜きされた表台紙及び裏台紙と、
前記表台紙と前記裏台紙を連結する連結部と、
前記連結部と前記表台紙及び前記裏台紙の境界にそれぞれ形成された折り目と、
前記表台紙と前記裏台紙の端部近くにそれぞれ形成された口止めと、
を有することを特徴とするダイカット紙バッグ。
【００１２】
（３）前記表台紙または前記裏台紙の所定の位置に、写真を挿入するための切り込みが形成されていることを特徴とする前記（１）または（２）に記載のダイカット紙バッグ。
【００１３】
（４）前記表台紙及び前記裏台紙に施された印刷が、キャラクタの印刷であることを特徴とする前記（１）または（２）に記載のダイカット紙バッグ。
【考案の効果】
【００１４】
本考案によれば、安価でありかつ見る者に強い印象を与えるダイカット紙バッグを提供することができる。
【図面の簡単な説明】
【００１５】
【図１】実施例１のダイカット紙バッグと台紙Ａを示す図
【図２】実施例１のダイカット紙バッグの作製手順を示す図
【図３】実施例２のダイカット紙バッグと台紙Ｂを示す図
【図４】実施例２のダイカット紙バッグの作製手順を示す図
【図５】従来の手提げ袋を示す図
【考案を実施するための形態】
【００１６】
以下、本考案を実施するための形態を、実施例により詳しく説明する。
【実施例１】
【００１７】
図１（ａ）に示したように本実施例のダイカット紙バッグ１は、矩形状の紙バッグ３０に台紙Ａ  １０を貼り付けずに被せる方式のバッグである。なお、３１は紙バッグ３０の持ち手を示す。図１（ｂ）に本実施例のダイカット紙バッグ１に使用する台紙Ａ  １０を示す。台紙Ａ  １０は、キャラクタの表のイメージが印刷された表台紙１１とキャラクタの裏のイメージが印刷された裏台紙１２が連結されたものである。その連結部には、折り目１３が形成されている。表台紙１１の端部には折り目１５を介して切れ目１７を有する重ね代１６が設けられている。一方、裏台紙１２の端部には折り目１５を介して舌部１９を有する重ね代１８が設けられている。また、表台紙１１と裏台紙１２の連結部の折り目１３の近傍には、口止め１４ａと隙間１４ｂが設けられている。１１ａは写真を挿入するための切り込みである。なお、表台紙１１と裏台紙１２に印刷されるものは、キャラクタに限定されるものではなく、例えば景勝地の風景等であってもよい。
【００１８】
本実施例のダイカット紙バッグ１の作製手順について、図２を参照しつつ説明する。まず、図２（ａ）に示したように台紙Ａ  １０を図１で説明した折り目１３に沿って折り曲げる。次に、紙バッグ３０に台紙Ａ  １０を持ち手３１が隙間１４ｂを介して外に出るように被せる（図２（ｂ））。そして、図２（ｃ）に示したように、重ね代１８の舌部１９を重ね代１６の切れ目１７に入れた後にテープＴを貼り固定すると共に、口止め１４ａをテープＴで貼り付けて固定する。従って、紙バッグ３０の中を見ることはできない。図２（ｄ）に示したように、本実施例のダイカット紙バッグ１は、店頭に陳列すると目立った変形バッグであるとの印象を顧客に与えることができる。さらに、紙バッグ３０を外し台紙Ａ  １０のみとした場合には、図２（ｅ）に示したように写真Ｆが挿入されるフォトフレームや切り抜いてお面やサンバイザー等に再利用することができる。
【００１９】
上述したように本実施例のダイカット紙バッグによれば、台紙を紙バッグに被せるだけで目立つバッグにすることができ、また台紙をフォトフレームやお面、サンバイザー等に再利用することができる。また、台紙と紙バッグは別の場所で個別に製造することができるためコストダウンを図ることができる。
【実施例２】
【００２０】
図３（ａ）に示したように本実施例のダイカット紙バッグ２は、矩形状の紙バッグ３０を台紙Ｂ  ２０によって包む方式のバッグである。図３（ｂ）に本実施例のダイカット紙バッグ２に使用する台紙Ｂ  ２０を示す。台紙Ｂ  ２０は、キャラクタの表のイメージが印刷された表台紙２１とキャラクタの裏のイメージが印刷された裏台紙２２が所定の幅を有する帯状の連結部２３により連結されたものである。なお、連結部２３と表台紙２１の境界及び連結部２３と裏台紙２２の境界には折り目２４が形成されている。２１ａは写真を挿入するための切り込みである。また、表台紙２１と裏台紙２２の端部側には共に口止めテープを通して貼るための穴２５が設けられている。
【００２１】
本実施例のダイカット紙バッグ２の作製手順について、図４を参照しつつ説明する。まず、図４（ａ）、（ｂ）に示したように台紙Ｂ  ２０を図３で説明した連結部２３の両側の折り目２４に沿って折り曲げる。次に、図４（ｃ）のように表台紙２１と裏台紙２２の間に紙バッグ３０を挿入する。そして、図４（ｄ）、（ｅ）のように表台紙２１と裏台紙２２の口止め２５を折り曲げてテープＴを貼って固定して、ダイカット紙バッグ２を完成させる。従って、紙バッグ３０の中を見ることはできない。また、紙バッグ３０を外し台紙Ｂ  ２０のみとした場合には、図４（ｆ）のように台紙Ｂ  ２０の上部をテープＴで貼り付けて固定し、写真Ｆが挿入されたフォトフレームやお面等に再利用することができる。
【００２２】
上述したように本実施例のダイカット紙バッグによれば、紙バッグを台紙で挟んで固定するだけで目立つバッグにすることができ、また台紙をフォトフレームやお面、サンバイザー等に再利用することができる。また、台紙と紙バッグは別の場所で個別に製造することができるためコストダウンを図ることができる。
【符号の説明】
【００２３】
１，２  ダイカット紙バッグ
１０    台紙Ａ
１１    表台紙
１１ａ  切り込み
１２    裏台紙
１３    折り目
１４ａ  口止め
１４ｂ  隙間
１５    折り目
１６，１８    重ね代
１７    切れ目
１９    舌部
２０    台紙Ｂ
２１    表台紙
２１ａ  切り込み
２２    裏台紙
２３    連結部
２４    折り目
２５    穴
３０    紙バッグ
３１    持ち手
Ｆ      写真
Ｔ      テープ
【図１】
0003186978.tif 000003
【図２】
0003186978.tif 000004
【図３】
0003186978.tif 000005
【図４】
0003186978.tif 000006
【図５】
0003186978.tif 000007